(57)【要約】【課題】  出発点から現在位置および目標位置までの距離を同時に測定して音声で報知できる距離測定装置を提供する。【解決手段】  スイッチ３を操作したことに応じて、ＣＰＵ２１がＧＰＳ受信回路５の出力に基づいて、現在位置の位置情報を計測してその位置情報を現在位置としてメモリ２２に記憶し、移動後にスイッチ４からの指令が与えられたことに応じて、現在位置から移動後の位置までの距離と、移動後の位置とメモリ２２に予め記憶しているグリーンまでの距離とを算出して各距離をスピーカ６から音声で報知する。【選択図】      図２
2007033243.tif 000002
【特許請求の範囲】
【請求項１】
少なくとも２点間の距離を測定する距離測定装置であって、
衛星位置情報を受信する受信手段（５）と、
現在位置を指示する指示手段（３）と、
距離測定の開始を指令する指令手段（４）と、
位置情報を記憶するとともに、目標位置に関する情報を予め記憶する記憶手段（２２）と、
音声を報知する音声報知手段（６）と、
前記指示手段の指示に応じて、前記受信手段の受信出力である衛星位置情報に基づいて、現在位置の位置情報を計測してその位置情報を現在位置として前記記憶手段に記憶し、移動後に前記指令手段から指令が与えられたことに応じて、前記現在位置から移動後の位置までの距離と、前記移動後の位置と前記記憶手段に予め記憶している目標位置までの距離を算出して各距離を前記音声報知手段により報知する制御手段（２１，２３，２４）とを備える、距離測定装置。 
【請求項２】
前記制御手段は、外部から前記目標位置に関する情報を前記記憶手段にダウンロードする、請求項１に記載の距離測定装置。
【請求項３】
前記制御手段は、前記移動後に前記指令手段から指令が与えられたときに、前記記憶手段に前記現在位置の位置情報が記憶されていないことを判別したことに応じて、前記指令手段からの指令に応じて算出した位置を前記現在位置の位置情報として前記記憶手段に記憶する、請求項１または２に記載の距離測定装置。
【請求項４】
前記制御手段は、前記移動後に前記指令手段から指令が与えられたときに、前記記憶手段に前記現在位置の位置情報が記憶されていることを判別したことに応じて、前記指示を与えた位置から移動後の位置までの距離と、前記移動後の位置から前記目標位置までの距離を算出する、請求項１または２に記載の距離測定装置。
【請求項５】
前記目標位置は、ゴルフ場におけるグリーンに関する位置である、請求項１から４のいずれかに記載の距離測定装置。
【発明の詳細な説明】
【技術分野】
【０００１】
この発明は距離測定装置に関し、例えば、ゴルフ場において、プレーヤーが打球したときの打球位置間の距離を測定する距離測定装置に関する。
【背景技術】
【０００２】
ゴルフ場において、プレーヤーは自分の打球したボールの飛距離を絶えず関心を持ちながらプレーをしている。ゴルフ場の各コースには、グリーンから１００ヤード、１５０ヤード、２００ヤードなどの各位置に標識が設けられており、プレーヤーはその標識を頼りに、グリーンまでの距離を推測している。しかし、ロングホールなどにおいては、第１打目でボールがどの程度飛んだかはプレーヤー自身で判断するのは極めて困難である。
【０００３】
特表平７−５０１８８７号公報（特許文献１）には、ユーザが実際の位置と固定位置との間の距離を決定できるポータブル距離計算機について記載されている。
【特許文献１】特表平７−５０１８８７号公報
【発明の開示】
【発明が解決しようとする課題】
【０００４】
特許文献１に記載されたポータブル距離計算機では、固定位置としてグリーンのピン位置とプレーヤーのいる位置との間の距離を計算できても、ティーグラウンドで第１打目を打球したときの飛距離を測定できない。
【０００５】
ゴルフ場における距離測定のみならず、自動車を運転しているときに出発点から現在位置までの距離と、現在位置から目標位置までの距離を同時に測定できるものは従来から存在していない。
【０００６】
そこで、この発明の目的は、出発点から現在位置および現在位置から目標位置までの距離を同時に測定して音声で報知できる距離測定装置を提供することである。
【課題を解決するための手段】
【０００７】
この発明は、少なくとも２点間の距離を測定する距離測定装置であって、衛星位置情報を受信する受信手段と、現在位置を指示する指示手段と、距離測定の開始を指令する指令手段と、位置情報を記憶するとともに、目標位置に関する情報を予め記憶する記憶手段と、音声を報知する音声報知手段と、指示手段の指示に応じて、受信手段の受信出力である衛星位置情報に基づいて、現在位置の位置情報を計測してその位置情報を現在位置として記憶手段に記憶し、移動後に指令手段から指令が与えられたことに応じて、現在位置から移動後の位置までの距離と、移動後の位置と記憶手段に予め記憶している目標位置までの距離を算出して各距離を音声報知手段により報知する制御手段とを備える。
【０００８】
指示手段からの指示と、移動後に指令手段から指令を与えるだけという簡単な操作で、出発点から現在位置までの距離と、目標位置までの距離とを同時に測定して音声で報知できる。
【０００９】
好ましくは、制御手段は、外部から目標位置に関する情報を記憶手段にダウンロードする。目標位置をダウンロードできるので、種々の用途に応じて距離を算出できる。
【００１０】
好ましくは、制御手段は、移動後に指令手段から指令が与えられたときに、記憶手段に現在位置の位置情報が記憶されていないことを判別したことに応じて、指令手段からの指令に応じて算出した位置を現在位置の位置情報として記憶手段に記憶する。この場合は、その位置を出発点として距離を測定できる。
【００１１】
好ましくは、制御手段は、移動後に指令手段から指令が与えられたときに、記憶手段に現在位置の位置情報が記憶されていることを判別したことに応じて、指示を与えた位置から移動後の位置までの距離と、移動後の位置から目標位置までの距離を算出する。
【００１２】
好ましくは、目標位置は、ゴルフ場におけるグリーンに関する位置である。グリーンに関する位置を記憶しておくことで、ゴルフプレーにおける打球の飛距離などを測定できる。
【発明の効果】
【００１３】
出発点で指示を与えることで、現在位置の位置情報を計測してその位置情報を現在位置として記憶し、移動後に指令が与えられたことに応じて、現在位置から移動後の位置までの距離と、移動後の位置と予め記憶している目標位置までの距離を算出して各距離を音声で報知するようにしたので、出発点から現在位置および目標位置まで同時に測定して音声で報知できる。
【発明を実施するための最良の形態】
【００１４】
図１はこの発明の一実施形態における距離測定装置の構造を示す図であり、（Ａ）は平面図を示し、（Ｂ）は（Ａ）の線Ｂ−Ｂから見た側面図であり、（Ｃ）は（Ａ）の線Ｃ−Ｃから見た側面図である。
【００１５】
図１において、距離測定装置は、例えば、ゴルフ場で打球したときにボールの飛距離を測定するとともに、グリーンエッジやピン位置までの距離を測定するために使用される。
【００１６】
距離測定装置は、ハウジング１を含み、ハウジング１の背面にはベルト掛け１１が設けられていて、このベルト掛け１１にベルトを通すことで、プレーヤーは距離測定装置を手で持つことなく、プレーに専念できる。ベルト掛け１１は必須のものではなく、ベルト掛け１１を省略して手で持ち歩いたり、ポケットにいれて使用してもよく、あるいは帽子にクリップで止められるようにしてもよい。
【００１７】
このハウジング１にはプレーヤーが操作するスイッチ３，４が設けられている。スイッチ３は、ティーグランドで第１打目のボールを打球して計測を開始するときに操作されて、現在位置を指示する指示手段である。スイッチ４は第２打目以降のボールを打球したときに操作され、測定の開始を指令する指令手段である。ハウジング１内には基板２が配置されており、基板２には後述の図２に示す制御手段としてのＣＰＵ２１と、記憶手段としてのメモリ２２と、音声回路２３と、音声ＲＯＭ２４と、通信回路２５とが搭載されている。さらに、基板２上には受信手段としてのＧＰＳ受信回路５と、音声報知手段としてのスピーカ６と、バッテリ７と、青色ＬＥＤ８とが搭載されている。音声ＲＯＭ２４に代えてその他の音声信号発生装置を用いてもよい。また、青色ＬＥＤ８は省略してもよい。
【００１８】
図２はこの発明の一実施形態における距離測定装置のブロック図であり、図３はメモリの記憶領域を示す図である。
【００１９】
ＣＰＵ２１には、図１に示したスイッチ３，４と、衛星位置情報を受信するＧＰＳ受信回路５と、バッテリ７と、メモリ２２と、音声回路２３と、音声ＲＯＭ２４と、通信回路２５と、青色ＬＥＤ８とが接続されている。ＧＰＳ（Ｇｌｏｂａｌ  Ｐｏｓｉｔｉｏｎｉｎｇ  Ｓｙｓｔｅｍ）受信回路５は、ＧＰＳ衛星からの電波を受け、衛星位置情報に基づいて、現在位置の緯度と経度とからなる位置情報を算出する。
【００２０】
メモリ２２は、図３に示すように、目標位置に関する情報として、例えばあるゴルフ場の１８ホールのグリーン情報や位置情報を記憶する。ここで言うグリーン情報とは、グリーンのエッジ，ピン位置，グリーン周辺のバンカーなどの位置情報を含むものとする。位置情報は、各ホールごとに打球した位置の経度情報および緯度情報を含む。音声回路２３は、打球するごとに飛距離や、打球位置からグリーンエッジあるいはピンまでの距離情報を音声ＲＯＭ２４から読出した音声情報を合成してスピーカ６から音声で報知する。
【００２１】
音声ＲＯＭ２４は、報知する音声情報を予め記憶している。通信回路２５は外部から例えば、携帯電話機などを接続して、グリーン情報などをメモリ２２にダウンロードするために設けられている。青色ＬＥＤ８はＧＰＳ受信回路５でＧＰＳ測位を完了したときに点灯する。バッテリ７は距離測定装置に電源を供給するものであり、充電可能に構成されているが、一般に用いられている乾電池を使用してもよい。
【００２２】
図４はゴルフ場の１つのホールレイアウトを示す図であり、図５はこの発明の一実施形態における距離測定装置の動作を示すフローチャートである。
【００２３】
プレーヤーは、ゴルフプレーをする前日までに、あるいはゴルフ場の第１ホールで第１打を打球する前に、図示しない電源スイッチを投入する。そして、通信回路２５に図示しない携帯電話機を接続するかあるいはゴルフ場のサーバあるいはインターネットを介して、外部からそのゴルフ場における第１ホールから第１８ホールまでのグリーン情報をメモリ２２の記憶領域２２１のダウンロードする。なお、メモリ２２は、グリーン情報をダウンロードすることなく、予め記憶するようにしておいてもよい。
【００２４】
ＣＰＵ２１はステップＳＰ１において、電源の投入されたことを判別し、ステップＳＰ２において、ＧＰＳ測位準備チェックを行い、ＧＰＳ受信回路５により現在位置を測位させる。現在位置として経度情報と緯度情報とが算出され、測位準備が行われる。ステップＳＰ３において、ＧＰＳ測位準備が完了したか否かを判断し、完了していなければステップＳＰ２に戻る。完了していれば、ステップＳＰ４において、青色ＬＥＤ８を点灯する。このとき、スピーカ６から確認音を報知するようにしてもよい。
【００２５】
プレーヤーは青色ＬＥＤ８が点灯したことを見て、距離測定の準備の完了したことを確認し、図４に示すＡ地点に示すティーグラウンドに立ち、第１打を打球する前に計測開始を指示するためにスイッチ３をオンさせる。ＣＰＵ２１はステップＳＰ５においてスイッチ３がオンされたか否かを判別し、オンされていなければオンされるまで待機し、オンされたことに応じて、ステップＳＰ６において、ＧＰＳ受信回路５の出力に基づいて、打球地点の位置情報をメモリ２２の記憶領域２２２に記憶する。そして、ステップＳＰ７において、音声ＲＯＭから対応する例えば「登録しました」を発音するのに必要な情報を読出し、音声回路２３で音声合成し、スピーカ６から「登録しました」の音声を発音させる。
【００２６】
プレーヤーは、第１打を打球後にボールの落下地点である、図４に示すＢ地点まで移動し、Ｂ地点に到達すると、距離の計測を開始するためにスイッチ４を操作する。ステップＳＰ８において、スイッチ４がオンされたか否かを判別し、オンされたことを判別すると、ステップＳＰ９において、メモリ２２の記憶領域２２２に直前の打球地点であるＡ地点の位置情報が登録されているか否かを判別する。
【００２７】
直前の打球地点であるＡ地点の位置情報が登録されていれば、ステップＳＰ１２において、直前の打球地点と新たな打球地点との間の２点間距離として、Ａ１とＢ１との間の距離を計算する。すなわち、ＧＰＳ受信回路５の出力に基づいて新たな打球地点であるＢ１地点の位置情報を算出し、メモリ２２の記憶領域２２２に記憶されている直前の打球地点であるＡ１地点の位置情報からＢ１地点の位置情報に基づいて、Ａ１とＢ１との間の距離を算出する。ステップＳＰ１３において、算出した距離に対応する音声情報を音声ＲＯＭ２４から読出し、音声回路２３で音声合成し、スピーカ６から例えば「飛距離は２００ｍです。」のように発音させる。なお、距離はヤードで表してもよい。そして、ステップＳＰ１４において、新たな打球地点をＢ１地点の位置情報としてメモリ２２の記憶領域２２３に記憶する。
【００２８】
ステップＳＰ１５において、ダウンロードデータとしてメモリ２２の記憶領域２２１にグリーン情報が登録されているか否かを判別する。ステップＳＰ１５において、ダウンロードデータが登録されていることを判別すると、ステップＳＰ１６において、ダウンロードした位置とＢ１地点との間の距離を計算する。
【００２９】
例えば、Ｂ１地点とグリーンエッジ上のＣ１地点との間の距離と、Ｂ１地点とグリーン上のピン位置であるＤ１地点との間の距離を算出し、ステップＳＰ１７において、計算結果を音声案内する。例えば、スピーカ６から「Ｃ１地点（エッジ）まで１５０ｍです。」，「Ｄ１地点（ピン）まで１８０ｍです。」のように音声で報知する。プレーヤーは、この音声を聞くことで適切なクラブ選択を行う。ステップＳＰ１８において、ホールアウトしたか否かを判別する。例えば、プレーヤーがホールアウトしたときにスイッチ３，４を同時に押すことで、ＣＰＵ２１がそれを判別するようにしてもよく、あるいはホールアウトを指示するスイッチを別個に設けてもよい。あるいは、ホールアウトしたときは、ステップＳＰ５に進んで、次のホールで計測開始スイッチ３をオンするようにしてもよい。
【００３０】
プレーヤーは、Ｂ１地点で第２打目を打球すると、その打球地点で再度計測を開始するためにスイッチ４を操作する。ステップＳＰ８において、スイッチ４の操作されたことを判別し、ステップＳＰ９に進み、直前の打球地点が登録されているかを判別する。以下、ホールアウトするまで、ステップＳＰ１２〜ステップＳＰ１５の処理を繰り返す。
【００３１】
なお、ステップＳＰ９において、直前の打球地点が登録されていないことを判別したときには、ステップＳＰ１０において、スピーカ６から「直前の打球地点が登録されていません。現在位置を登録します。」の音声を報知し、ステップＳＰ１１において、新たな打球地点をＡ１地点として登録する。
【００３２】
ステップＳＰ１８においてホールアウトしたことを判別したときには、ステップＳＰ５に進み、第２ホールの各打球地点の距離測定を行う。以下、第２ホールから第１８ホールまでプレーし、各ホールの位置情報Ａ２からＢ１８がメモリ２２に記憶される。
【００３３】
なお、メモリ２２の記憶領域は各ホールがロングホール、ミドルホール、ショートホールであるかに応じて、打球数が異なるので、グリーン情報をダウンロードするときに、各ホールのパー数に応じた記憶領域を設定するようにしてもよい。
【００３４】
上述のごとく、この実施形態によれば、ゴルフ場において、打球開始時にスイッチ３を操作した後、打球するごとにスイッチ４を操作することで、各打球の飛距離とグリーンまでの距離を算出して音声で報知できるので、プレーヤーは打球距離を確認して、最適なゴルフクラブを選択するための情報を提供できる。もし、飛距離などを数値として表示器に表示するようなものであれば、その都度表示器を見なければならないが、飛距離などを音声で報知することでプレーする上で煩わしさがない。
【００３５】
なお、上述の実施形態では距離情報を音声で報知するようにしたが、音声で報知するだけでなく、表示器を設けて表示してプレーヤーが視認できるようにしてもよい。そして、プレー終了後に、各打球距離を順次表示できるようにしてもよい。
【００３６】
また、上述の実施形態では、ゴルフ場における打球距離やグリーンまでの距離を測定するようにしたが、これに限ることなく、例えば、自動車で出発位置から現在位置までの距離や目標位置までの距離を同時に測定するのにも適用できる。
【００３７】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３８】
この発明の距離測定装置は、ゴルフ場などにおいて、プレーヤーがボールを打球したときの各打球位置間の距離を測定するのに利用できる。
【図面の簡単な説明】
【００３９】
【図１】この発明の一実施形態における距離測定装置の外観図である。
【図２】この発明の一実施形態における距離測定装置のブロック図である。
【図３】図３は図２に示したメモリの記憶領域を示す図である。
【図４】ゴルフ場で距離を測定する例を示す図である。
【図５】この発明の一実施形態における距離測定装置の動作を説明するためのフローチャートである。
【符号の説明】
【００４０】
１  ハウジング、２  基板、３，４  スイッチ、５  ＧＰＳ受信回路、６  スピーカ、７  バッテリ、８  ＬＥＤ、１１  ベルト掛け、２１  ＣＰＵ、２２  メモリ、２３  音声回路、２４  音声ＲＯＭ、２５  通信回路。
【図１】
2007033243.tif 000003
【図２】
2007033243.tif 000004
【図３】
2007033243.tif 000005
【図４】
2007033243.tif 000006
【図５】
2007033243.tif 000007